(57)【特許請求の範囲】
【請求項１】
一端部が電柱に固定されると共に長手方向に沿って開口した溝部を有する中空長尺状の腕金本体と、前記溝部に取り付けられたメッセンジャーワイヤ保持部材とを具備し、
前記メッセンジャーワイヤ保持部材は、前記溝部で前記メッセンジャーワイヤ保持部材を中空部に係止する係止具と、前記溝部を挟んで前記係止具に取り付けられるメッセンジャーワイヤ保持具とを有し、
前記係止具で係止されることにより前記メッセンジャーワイヤ保持部材が前記腕金本体に取り付けられており、
前記腕金本体は複数の腕金片から構成され、回動支持部材を介して前記腕金片が互いに水平軸回りで回動自在に連結されていることを特徴とするメッセンジャーワイヤ支持部材。
【請求項２】
前記係止具は、短幅が前記溝部の溝幅より狭く且つ長幅が前記溝部の溝幅より広い形状とされていることを特徴とする請求項１に記載のメッセンジャーワイヤ支持部材。
【発明の詳細な説明】
【技術分野】
【０００１】
本発明は、並設された電柱間に設けられたメッセンジャーワイヤを電柱に支持するメッセンジャーワイヤ支持部材に関する。
【背景技術】
【０００２】
並設された電柱間に光ファイバー、電話線、電線等のケーブルを配設するに際し、電柱間にメッセンジャーワイヤを配し、このメッセンジャーワイヤにケーブルを支持させている。このメッセンジャーワイヤは、通常、電柱に固定されたメッセンジャーワイヤ支持部材で支持されることにより、電柱間に配される。
【０００３】
このような方法で設置されたケーブルを増設する場合、新たにメッセンジャーワイヤを電柱間に配する必要があるため、通常メッセンジャーワイヤを保持する腕金の長さを長くするが、腕金を長くするためには、腕金を取り替える必要が生じる。また、障害物の回避等を目的として、電柱からのメッセンジャーワイヤの位置の変更を望む場合もあり、この場合も、腕金を取り替える必要が生じる。しかしながら、腕金を取り替えるという作業は、危険を伴い、容易ではないという問題がある。
【０００４】
なお、各種設置部材を支持するための支持具として、径の異なる複数のパイプを、径の太いものから細いものへと順に重ねて組み入れ、各パイプの端部と、これに内接するパイプとの間に環状のくさびが打ち込まれている伸縮アームが開示されている（特許文献１参照）。しかしながら、この文献に記載された構造は、各種センサ等を設置するためのものであり、また、このアームを腕金として使用しても、伸縮させるだけでは設置後に所望の位置にメッセンジャーワイヤを支持させるには不十分である。
【０００５】
【特許文献１】特開平８−３２６３５９号公報
【発明の開示】
【発明が解決しようとする課題】
【０００６】
本発明は、このような事情に鑑み、設置後のメッセンジャーワイヤの増設又は変更を容易に行うことができるメッセンジャーワイヤ支持部材を提供することを課題とする。
【課題を解決するための手段】
【０００７】
前記課題を解決する本発明の第１の態様は、一端部が電柱に固定されると共に長手方向に沿って開口した溝部を有する中空長尺状の腕金本体と、前記溝部に取り付けられたメッセンジャーワイヤ保持部材とを具備し、前記メッセンジャーワイヤ保持部材は、前記溝部で前記メッセンジャーワイヤ保持部材を中空部に係止する係止具と、前記溝部を挟んで前記係止具に取り付けられるメッセンジャーワイヤ保持具とを有し、前記係止具で係止されることにより前記メッセンジャーワイヤ保持部材が前記腕金本体に取り付けられており、前記腕金本体は複数の腕金片から構成され、回動支持部材を介して前記腕金片が互いに水平軸回りで回動自在に連結されていることを特徴とするメッセンジャーワイヤ支持部材にある。
【０００８】
かかる第１の態様では、溝部にメッセンジャーワイヤ保持部材を追加する又は溝部に設けられたメッセンジャーワイヤ保持部材の位置を変更することにより、回動支持部材を介して複数の腕金片が互いに水平軸回りで回動自在に連結されている腕金本体の所望の位置にメッセンジャーワイヤを設けることができるので、メッセンジャーワイヤ設置後のメッセンジャーワイヤの増設又は変更を容易に行うことができる。
【０００９】
本発明の第２の態様は、前記係止具は、短幅が前記溝部の溝幅より狭く且つ長幅が前記溝部の溝幅より広い形状とされていることを特徴とする第１の態様に記載のメッセンジャーワイヤ支持部材にある。
【００１０】
かかる第２の態様では、溝部から腕金本体内部に係止具を挿入した後係止具を回転させることにより、溝部に係止具が引っ掛かるので、メッセンジャーワイヤ保持部材を腕金本体に取り付けることができる。
【発明の効果】
【００１５】
本発明のメッセンジャーワイヤ支持部材を用いれば、設置後のメッセンジャーワイヤの増設又は変更を容易に行うことができる。
【発明を実施するための最良の形態】
【００１６】
以下、本発明を実施形態に基づいて詳細に説明する。
【００１７】
（実施形態１）
図１は、本発明の実施形態１に係るメッセンジャーワイヤ支持部材を示す概略斜視図である。図１に示すように、本実施形態に係るメッセンジャーワイヤ支持部材１０は、腕金本体１１と腕金本体１１の下側に設けられたメッセンジャーワイヤ保持部材１２を有する。
【００１８】
この腕金本体１１は、図１に示すように中空の柱状形状であり、長手方向に沿って開口した溝部１３を下面に有している。この腕金本体１１は、本実施形態では、３つの腕金片１１ａ、１１ｂ及び１１ｃから構成される。なお、電柱に取り付けられる側とは反対側の一端で溝部１３は塞がれており、これにより、溝部１３で係止されるメッセンジャーワイヤ保持部材１２が、腕金本体１１の端部から落下しない構造となっている。そして、腕金片１１ａ〜１１ｃはそれぞれの断面が相似形で、腕金片１１ａ、１１ｂ及び１１ｃの順に断面の大きさが小さくなっており、腕金片１１ｂは腕金片１１ａの内側に組み込まれ、腕金片１１ｃは腕金片１１ｂの内側に組み込まれている。このため、この腕金片１１ａ〜１１ｃは自在にスライドさせることが可能であり、腕金片１１ａ〜１１ｃをスライドさせることにより、腕金本体１１は伸縮自在となり、所望の長さにすることが可能である。
【００１９】
また、各腕金片１１ａ〜１１ｃの溝部１３とは反対側の面、すなわち、上側の面には、腕金本体１１の長さを調節する長さ調節ネジを嵌合可能なネジ穴１４を有する。このネジ穴１４に長さ調節ネジ（図示なし）を貫通させることにより、腕金片１１ａ〜１１ｃ同士を固定している。
【００２０】
そして、腕金片１１ａ〜１１ｃの重なっている部分の大きい方の腕金片１１ａ及び１１ｂの内面には、滑り止め溝１５が設けられている。この滑り止め溝１５により、腕金片１１ａ〜１１ｃをスライドさせる際に腕金片１１ａ〜１１ｃが滑りにくくなるため、作業中に腕金片１１ｂや腕金片１１ｃをはずれにくくすることができる。
【００２１】
メッセンジャーワイヤ保持部材１２は、図２（ａ）に示すように、溝部１３でメッセンジャーワイヤ保持部材１２を係止する係止具２１と、メッセンジャーワイヤ（吊線）を保持するメッセンジャーワイヤ保持具２２を有する。なお、図２は、実施形態１に係るメッセンジャーワイヤ支持部材１０が有するメッセンジャーワイヤ保持部材１２の断面図である。
【００２２】
係止具２１は平面が矩形形状で、短辺が溝部１３の溝幅より狭く、且つ長辺が溝部１３の溝幅より広い。係止具２１の短辺が溝部１３の溝幅よりも狭いため、溝部１３の下側から係止具２１を腕金本体１１に挿入することができる。その後、係止具２１を例えば９０°回転させると、溝部１３の幅方向の係止具２１の長さが溝幅よりも長くなるため、溝部１３に係止具２１が引っ掛かかり、メッセンジャーワイヤ保持部材１２を腕金本体１１に設けることができる。なお、本実施形態では、係止具２１を矩形形状としたが、係止具２１の形状は矩形形状に限らず、例えば、楕円形状や六角形状としてもよい。この場合であっても、係止具は、短いほうの幅（短幅）が溝部１３の溝幅より狭く、且つ、長いほうの幅（長幅）が溝部１３の溝幅より広い。
【００２３】
この係止具２１とメッセンジャーワイヤ保持具２２とは、ネジ軸２３で結合されており、係止具２１とメッセンジャーワイヤ保持具２２の間で、ネジ軸２３に係止補助具２４が螺合されている。この係止補助具２４と係止具２１の間に腕金本体１１が配置されるようにし、係止補助具２４を係止具２１側へと螺合することにより、溝部１３を挟んだ係止具２１と係止補助具２４とでメッセンジャーワイヤ保持部材１２が腕金本体１１に固定される。
【００２４】
また、メッセンジャーワイヤ保持具２２は、円形状の開口２５を側面に有するコの字型金具２６と、開口２５にネジ頭２７ａが嵌合されるメッセンジャーワイヤ固定ネジ２７と、メッセンジャーワイヤ固定ネジ２７に開口２５側から順に螺合されたメッセンジャーワイヤ固定板２８、ワッシャ２９、ナット３０から構成されている。
【００２５】
このような、メッセンジャーワイヤ保持部材１２に、メッセンジャーワイヤ３１を保持させる方法は、以下の通りである。図２（ｂ）に示すように、まず、開口２５からネジ頭２７ａをはずし、メッセンジャーワイヤ固定板２８をメッセンジャーワイヤ固定ネジ２７と共に上に持ち上げて、メッセンジャーワイヤ固定板２８とコの字型金具２６との間に隙間を作る。そして、その隙間からメッセンジャーワイヤ３１をコの字型金具２６の奥に入れた後、メッセンジャーワイヤ固定ネジ２７のネジ頭２７ａをコの字型金具２６の開口２５に嵌合させると共に、ナット３０を締めることにより、メッセンジャーワイヤ３１をメッセンジャーワイヤ保持部材１２に保持することができる。
【００２６】
なお、溝部１３は腕金本体１１の長手方向に亘って設けられているため、腕金本体１１の電柱からの所望の距離にメッセンジャーワイヤ保持部材１２を取り付けることができる。また、メッセンジャーワイヤ保持部材１２は、係止具２１及び係止補助具２４を緩めたり締めたりすることで溝部１３を移動可能である。
【００２７】
メッセンジャーワイヤ支持部材１０を用いた場合について、図３を用いて以下に説明する。なお、図３はメッセンジャーワイヤ支持部材を電柱に固定して使用した状態を示す概略斜視図である。
【００２８】
まず、腕金本体１１を縮めた状態のメッセンジャーワイヤ支持部材１０の一端部を、固定手段５１を用いて電柱５０に固定する。次に、メッセンジャーワイヤ支持部材１０が有するメッセンジャーワイヤ保持部材１２に、光ファイバー等のケーブル５２を支持したメッセンジャーワイヤ５３を保持させる。図４は、メッセンジャーワイヤ保持部材１２にメッセンジャーワイヤ５３を保持させた状態の概略を示す断面図である。その後、腕金片１１ａ〜１１ｃをスライドさせて腕金本体１１を伸ばすことにより、電柱５０に対して所定の位置にケーブル５２を設置する。これにより、ケーブル５２が電柱５０間に配設される。なお、本実施形態では、腕金本体１１を縮めた状態のメッセンジャーワイヤ支持部材１０に、メッセンジャーワイヤ５３を保持させた後、腕金本体１１を伸ばして所望の長さまで伸ばしたが、腕金本体１１を予め所望の長さにしたメッセンジャーワイヤ支持部材１０にメッセンジャーワイヤ５３を保持させてもよい。前者は、腕金本体１１が縮められているため、運搬や電柱上に持ち上げるときに便利であるという利点や、メッセンジャーワイヤ５３の取り付けが電柱から近い位置で行われるので設置作業が容易になるという利点がある。また、後者は腕金本体１１を伸ばすという工程を安全な地上でできるという利点がある。
【００２９】
このようにメッセンジャーワイヤ５３を配設した後、さらに別のケーブルを増設するためにメッセンジャーワイヤを増設する際には、メッセンジャーワイヤ支持部材１０の腕金片１１ｂ及び１１ｃをスライドさせることにより、腕金本体１１を伸張する。そして、メッセンジャーワイヤ保持部材１２と同様の構造を有するメッセンジャーワイヤ保持部材を腕金本体１１の所望の位置、例えば、メッセンジャーワイヤ保持部材１２よりも電柱５０から離れた位置に取り付ける。この新しく取り付けたメッセンジャーワイヤ保持部材に新たにメッセンジャーワイヤを挿入することにより、ケーブルを増設することができる。なお、電柱５０からのケーブル５２の位置を単に変更する場合は、設置されたメッセンジャーワイヤ保持部材１２ごと各腕金片１１ａ〜１１ｃをスライドさせて腕金本体１１を伸縮することにより、電柱５０からのケーブル５２の位置を所望の位置にすることができる。また、メッセンジャーワイヤ保持部材１２の係止補助具２４を緩め、メッセンジャーワイヤ保持部材１２を所望の位置に移動させて再度溝部１３に固定することにより、容易にメッセンジャーワイヤ保持部材１２の位置を変更することができる。
【００３０】
このように、本実施形態によれば、腕金本体１１の溝部１３に取り付けられたメッセンジャーワイヤ保持部材１２の位置の変更や、腕金片１１ａ〜１１ｃのスライドという、腕金の取替えに比べて極めて簡便な操作で、容易に所望の位置にメッセンジャーワイヤ３１の増設又は位置の変更をすることができる。従って、作業の体勢が不安定で危険である等の問題が生じない。また、腕金本体１１は伸縮可能なので、縮めた状態とすることで、メッセンジャーワイヤ支持部材１０が占領する領域を狭くすることができる。さらに、既に設置されたケーブルを外さずにケーブルを増設又は変更することができる。
【００３１】
なお、本実施形態では、腕金本体１１の形状を中空の柱状としたがその他の形状でもよく、例えば円筒状としてもよい。また、腕金本体１１を構成する腕金片の数を本実施形態では３つとしたが、腕金片は１つでもよい。但し、腕金片は２つ以上とすることにより腕金本体１１を伸縮可能な部材とすることができるため好ましい。
【００３２】
また、メッセンジャーワイヤ保持部材１２のネジ軸２３を、腕金片１１ａ〜１１ｃが重なった部分の各腕金片１１ａ〜１１ｃのネジ穴１４に貫通させることにより、腕金片１１ａ〜１１ｃの固定を兼ねることができる。
【００３３】
さらに、本実施形態では、電柱に取り付けられる側とは反対側の一端で溝部１３は塞がれている構造としたが、メッセンジャーワイヤ保持部材１２が強固に溝部１３で係止されていれば、溝部１３は腕金本体１１の端まで連続して設けられていてもよい。このような構造にすることにより、下面ではなく側面側からメッセンジャーワイヤ保持部材１２を腕金本体１１内に挿入することができる。例えば、係止具２１が、長辺は挿入する腕金片１１ｃの内径よりも短く、対角線の長さは係止具２１を挿入する腕金片１１ｃの内径よりも長い矩形形状であるメッセンジャーワイヤ保持部材であれば、係止具は溝部から落下しない構造となる。
【００３４】
（実施形態２）
図５は、本発明の実施形態２に係るメッセンジャーワイヤ支持部材の概略を示す側面図である。図５に示すように、本実施形態に係るメッセンジャーワイヤ支持部材４０は、腕金本体４１と腕金本体４１の下側に取り付けられたメッセンジャーワイヤ保持部材１２を有する。
【００３５】
この腕金本体４１は、中空の柱状形状であり、長手方向に沿って開口した溝部（図示なし）を下面に有している。腕金本体４１は２つの腕金片４１ａ及び４１ｂから構成され、腕金片４１ａと４１ｂとは、接合部に設けられた蝶番４２により（請求項の「回動支持部材」に相当）連結されている。また、腕金片４１ａ及び４１ｂは、後述する腕金片固定部材４３を固定するための係合ネジ４４を係合するネジ穴（図示なし）を側面に有する。蝶番４２を軸として腕金片４１ｂを回動させることにより、腕金本体４１は屈曲可能となる。回動させた腕金片４１ａ及び４１ｂは、腕金片固定部材４３を用いて、係合ネジ４４を係合することにより固定する。このように、本実施形態においては、腕金片４１ｂが回動自在なので腕金本体４１は屈曲可能であり、腕金片４１ｂを回動させることにより、腕金本体４１の長さや形状を調整することができる。なお、メッセンジャーワイヤ保持部材１２の構造や、メッセンジャーワイヤ保持部材１２の腕金本体４１への取り付け方等は、実施形態１と同様であるので、説明を省略する。
【００３６】
このメッセンジャーワイヤ支持部材４０を用いた場合について、以下に説明する。まず、実施形態１と同様の方法で、図５（ａ）に示す腕金片４１ａ及び４１ｂを折りたたんだ状態のメッセンジャーワイヤ支持部材４０を、腕金片４１ａ側の一端部で電柱に固定する。次に、メッセンジャーワイヤ支持部材４０が有するメッセンジャーワイヤ保持部材１２に、光ファイバー等のケーブルを支持したメッセンジャーワイヤを保持させる。これにより、ケーブルが電柱に配設される。
【００３７】
このようにメッセンジャーワイヤを配設した後、さらに別のケーブルを増設するためにメッセンジャーワイヤを増設する際には、蝶番４２を軸として腕金片４１ａに対して腕金片４１ｂを回動させる。本実施形態では、図５（ｂ）に示すように、９０°程度回動させて腕金本体４１の形状をＬ字型とした。その後、腕金片４１ｂを、両方の側面で腕金片固定部材４３を用いて固定させる。
【００３８】
そして、取り付けたメッセンジャーワイヤ保持部材１２と同様の構造を有するメッセンジャーワイヤ保持部材１２´を腕金片４１ｂの所望の位置、例えば、図５（ｂ）では鉛直方向上側に取り付ける。新しく取り付けたメッセンジャーワイヤ保持部材１２´に新たにメッセンジャーワイヤを挿入することにより、ケーブルを増設することができる。なお、電柱からのケーブルの位置を単に変更する場合は、例えば、メッセンジャーワイヤ保持部材１２の係止補助具２４を緩めメッセンジャーワイヤ保持部材１２を所望の位置に移動させて再度溝部に固定することにより、容易にメッセンジャーワイヤ保持部材１２の位置を変更することができる。
【００３９】
このように、腕金本体４１の溝部に取り付けられたメッセンジャーワイヤ保持部材１２の位置の変更や、腕金片４１ｂの回動という、腕金本体の取替えに比べて極めて簡便な操作で、容易に所望の位置にメッセンジャーワイヤの増設又は位置の変更をすることができる。
【００４０】
なお、本実施形態では、腕金片４１ｂを９０°程度回動させて腕金本体４１の形状をＬ字型としたが、回動させる角度に特に制限は無く、例えば、図５（ｃ）に示すように、１８０°程度回動させて、腕金本体４１の形状を角柱状としてもよい。また、回動支持部材も蝶番４２に限定されず、例えば、係合ネジ４４が回動支持部材としての機能も兼ね備え、腕金片固定部材４３を係合した係合ネジ４４を軸として腕金片４１ｂが回動できる構成としてもよい。
【００４１】
（他の実施形態）
以上、本発明の実施形態を説明したが、本発明の構成は上述したものに限定されるものではない。例えば、実施形態１では腕金片をスライド可能な構造とすることにより、実施形態２では腕金片を回動可能な構造とすることにより腕金本体の形状を変更可能としたが、実施形態１及び実施形態２の構造を併せ持つ構造、すなわち、スライド及び回動可能な構造としてもよい。これにより、腕金本体の構造の変更がより自由自在になるため、メッセンジャーワイヤもより種々の位置に設けることができる。
【００４２】
また、上記実施形態では、溝部を腕金本体の下面に設けたが、溝部の位置は特に限定されず、例えば、腕金本体の上面に設けてもよい。
【００４３】
さらに、メッセンジャーワイヤ保持部材の一例として図２を示したが、メッセンジャーワイヤ保持部材は図２の構造に限定されず、溝部でメッセンジャーワイヤ保持部材を中空部に係止する係止具と、溝部を挟んで係止具に取り付けられるメッセンジャーワイヤ保持具を有していればよい。例えば、シンブル（「メッセンジャーワイヤ保持具」に相当）を２つ有するメッセンジャーワイヤ保持部材とし、両引き留めでメッセンジャーワイヤを保持するようにしてもよい。
【図面の簡単な説明】
【００４４】
【図１】本発明の実施形態１に係るメッセンジャーワイヤ支持部材を示す概略斜視図である。
【図２】本発明の実施形態１に係るメッセンジャーワイヤ保持部材の断面図である。
【図３】メッセンジャーワイヤ支持部材を電柱に固定して使用した状態を示す概略斜視図である。
【図４】メッセンジャーワイヤ保持部材にメッセンジャーワイヤを保持させた状態の概略を示す断面図である。
【図５】本発明の実施形態２に係るメッセンジャーワイヤ支持部材の概略を示す側面図である。
【符号の説明】
【００４５】
１０、４０  メッセンジャーワイヤ支持部材
１１、４１  腕金本体
１１ａ、１１ｂ、１１ｃ、４１ａ、４１ｂ  腕金片
１２  メッセンジャーワイヤ保持部材
１３  溝部
１４  ネジ穴
１５  溝
２１  係止具
２２  メッセンジャーワイヤ保持具
２３  ネジ軸
２４  係止補助具
２５  開口
２６  コの字型金具
２７  メッセンジャーワイヤ固定ネジ
２７ａ  ネジ頭
２８  メッセンジャーワイヤ固定板
２９  ワッシャ
３０  ナット
３１、５３  メッセンジャーワイヤ
４２  蝶番
４３  腕金片固定部材
４４  係合ネジ
５０  電柱
５１  固定手段
５２  ケーブル
【図１】
0004832155.tif 000002
【図２】
0004832155.tif 000003
【図３】
0004832155.tif 000004
【図４】
0004832155.tif 000005
【図５】
0004832155.tif 000006